【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
フィッシャー−トロプシュ液体に由来し、且つ、フィッシャー−トロプシュ液体と実質的に同じ高い生物起源濃度を有し、且つ、フィッシャー−トロプシュ液体を生成するフィッシャー−トロプシュプロセスへの再生可能な有機原料と実質的に同じ高い生物起源濃度を有する、合成パラフィン系ケロシン（ＳＰＫ）及びディーゼルの内の少なくとも一つを含み、前記高い生物起源濃度が、炭素の化石源に由来する非生物起源炭素とは対照的に、放射性炭素年代測定法によって確認できる、前記原料及び前記ＦＴ液体の両方において１００％まで生物起源炭素である、再生可能な有機原料源に由来する高い生物起源含量の燃料。
【請求項２】
再生可能な有機原料に由来する高い生物起源含量の燃料であって、前記高い生物起源含量の燃料が：フィッシャー−トロプシュ液体に由来し、且つ、フィッシャー−トロプシュ液体と実質的に同じ高い生物起源濃度を有し、且つ、フィッシャー−トロプシュ液体を生成するフィッシャー−トロプシュプロセスへの原料と実質的に同じ高い生物起源の再生可能な有機濃度を有する、ナフサ、ディーゼル燃料、及び、合成パラフィン系ケロシン（ＳＰＫ）の内の少なくとも一つを含み、前記高い生物起源濃度が、炭素の化石源に由来する非生物起源炭素とは対照的に、放射性炭素年代測定法によって確認できる、前記原料及び前記ＦＴ液体の両方において１００％まで生物起源炭素である、再生可能な有機原料に由来する高い生物起源含量の燃料。
【請求項３】
前記ＦＴ液体が、以下の炭素特性を有する、請求項１又は２に記載の再生可能な有機原料に由来する高い生物起源含量の燃料：
炭素分布：ＭＦＴＬ：Ｃ４−Ｃ２６
ＨＦＴＬ  Ｃ７−Ｃ１０２
組み合わされた材料に関する典型的な炭素分布。
【表２】
2018532032.tif 000001
【請求項４】
再生可能な有機原料に由来する高い生物起源含量の燃料添加剤であって、前記燃料が、フィッシャー−トロプシュ液体に由来し、且つ、フィッシャー−トロプシュ液体と実質的に同じ高い生物起源の再生可能な有機濃度を有し、且つ、フィッシャー−トロプシュ液体を生成するプロセスへの原料と実質的に同じ高い生物起源濃度を有する、ナフサ燃料、ディーゼル燃料、又は、合成パラフィン系ケロシン（ＳＰＫ）の内の少なくとも一つである燃料添加剤を含み、
前記高い生物起源濃度が、放射性炭素年代測定法によって確認でき、炭素の化石源に由来する非生物起源炭素とは対照的に前記原料及び前記ＦＴ液体の両方において１００％まで生物起源炭素が存在し；
前記フィッシャー−トロプシュ液体は：
ａ）原料処理ステップにおいて、前記原料原材料から非生物起源由来炭素材料及び非炭素質材料を除去して、前記原材料からの他の非炭素質材料と共に比較的高い濃度の生物起源炭素及び比較的低い濃度の非生物起源炭素を含む原料を生成する段階と；
ｂ）バイオ精製所において、比較的高い濃度の生物起源炭素及び比較的低い濃度の非生物起源炭素を維持しつつ、処理された原料をフィッシャー−トロプシュ液体に変換する段階と、
を含むプロセスにおいて製造される、再生可能な有機原料に由来する高い生物起源含量の燃料添加剤。
【請求項５】
前記高い生物起源濃度が、前記原料及び前記ＦＴ液体の両方において同じ割合の生物起源炭素である、請求項１、３及び４の何れか一項に記載の再生可能な有機原料源に由来する高い生物起源含量の燃料。
【請求項６】
前記高い生物起源含量の燃料が：
フィッシャー−トロプシュ液体に由来し、且つ、フィッシャー−トロプシュ液体と実質的に同じ高い生物起源濃度を有し、且つ、フィッシャー−トロプシュ液体を生成するフィッシャー−トロプシュプロセスへの原料と実質的に同じ高い生物起源の再生可能な有機濃度を有する、ナフサ、ディーゼル燃料、及び、合成パラフィン系ケロシン（ＳＰＫ）の内の少なくとも一つを含み、前記高い生物起源濃度が、炭素の化石源に由来する非生物起源炭素とは対照的に、放射性炭素年代測定法によって確認できる、前記原料及び前記ＦＴ液体の両方において１００％まで生物起源炭素である、請求項４に記載の再生可能な有機原料に由来する高い生物起源含量の燃料。
【請求項７】
前記再生可能な有機原料が、ＣＯ、Ｈ２及びＣＯ２を含むシンガスを製造しつつ、準化学量論的炭素酸化及び炭化水素改質によって処理される、請求項６に記載の再生可能な有機原料に由来する高い生物起源含量の燃料添加剤。
【請求項８】
前記フィッシャー−トロプシュ反応器が、重質ＦＴ液体留分（ＨＦＴＬ）及び中質／より軽質のＦＴ液体留分（ＭＦＴＬ）を含むＦＴ液体を提供する、請求項７に記載の再生可能な有機原料に由来する高い生物起源含量の燃料添加剤。
【請求項９】
前記フィッシャー−トロプシュ由来液体が、以下の炭素特性を有する、請求項５に記載の再生可能な有機原料に由来する高い生物起源含量の燃料添加剤：
典型的な炭素分布：ＭＦＴＬ：Ｃ４−Ｃ２６
ＨＦＴＬ  Ｃ７−Ｃ１０２
組み合わされた材料に関する典型的な炭素分布。
【表３】
2018532032.tif 000002
【請求項１０】
他の非炭素質材料と共に比較的高い濃度の生物起源炭素（植物に由来する炭素）及び（炭素の化石源からの）比較的低い濃度の非生物起源炭素を含む都市固形廃棄物（ＭＳＷ）の処理された原料に由来する高い生物起源炭素濃度のフィッシャートロプシュ（Ｆ−Ｔ）液体を製造するためのシステムであって、前記フィッシャートロプシュ由来液体が、以下の炭素特性を有し：
典型的な炭素分布：ＭＦＴＬ：Ｃ４−Ｃ２６
ＨＦＴＬ  Ｃ７−Ｃ１０２
組み合わされた材料に関する典型的な炭素分布
【表４】
2018532032.tif 000003
前記システムが、
ａ）再生可能な原料からの前記比較的高い濃度の生物起源炭素及び前記比較的低い濃度の非生物起源炭素を維持しつつ、前記処理された原料をフィッシャー−トロプシュ液体に変換するためのバイオ精製所と；
ｂ）前記バイオ精製所内の、比較的高い濃度の生物起源炭素を含む処理された原料の少なくともガス化及び準化学量論的酸化を提供するガス化アイランド（ＧＩ）であって、前記ＧＩが：
前記処理された原料を選択的に受け取り、且つ、ＣＯ、Ｈ２、Ｈ２Ｏ及びＣＯ２を含むシンガスを生成し；
再循環された炭化水素生成物及び中間生成物を選択的に受け取り、生物起源の化合物の炭化水素改質によって前記生物起源炭素を回収し；
再循環されたＣＯ２を選択的に受け取る、ＧＩと、
を含むシステム。
【請求項１１】
シンガス調整システム、及び、前記シンガス調整システムからシンガスを受け取るＦ−Ｔ反応器をさらに含み；必要に応じて
前記シンガス調整システムは、前記ＣＯ２の再循環を前記ガス化アイランドに提供する、請求項１０に記載のシステム。
【請求項１２】
前記Ｆ−Ｔ反応器は、重質ＦＴ液体留分（ＨＦＴＬ）及び中質液体留分ＭＦＴＬ含むＦＴ液体とＦ−Ｔ排ガスとを提供し；必要に応じて
前記Ｆ−Ｔ排ガスは、前記Ｆ−Ｔ反応器に再循環される；又は、
本システムが、前記Ｆ−Ｔ液体を受け取るための水素化分解装置をさらに必要に応じて含む、請求項１０に記載のシステム。
【請求項１３】
本システムが、前記Ｆ−Ｔ液体を受け取るための水素化分解装置を含み、前記水素化分解装置から重質分解物と軽質分解物とを受け取るための分留装置をさらに含み、必要に応じて、前記分留装置は、前記再循環された高い生物起源の炭化水素生成物を提供し；さらに必要に応じて、前記分留装置が、ＳＰＫの、若しくはナフサの、若しくはディーゼルの、又は、３つすべての組み合わせの、高い生物起源濃度を提供する、請求項１１に記載のシステム。
【請求項１４】
前記液体が燃料を含み；必要に応じて
前記液体がディーゼル燃料を含む；又は
前記液体が合成パラフィン系ケロシン（ＳＰＫ）を含む；又は
前記液体がナフサを含む；又は
前記液体が少なくともナフサ、ディーゼル燃料及び合成パラフィン系ケロシン（ＳＰＫ）を含む、請求項１０に記載の高い生物起源濃度のフィッシャー−トロプシュ液体を製造するためのシステム。
【請求項１５】
ａ）ＣＯ、Ｈ２及びＣＯ２が、ナフサ及びメタンを含む前記再循環され選択された炭化水素生成物と共に再循環され；必要に応じて、前記再循環され選択された炭化水素生成物及び中間生成物が、フィッシャー−トロプシュプロセスからの排ガスを含む；又は
ｂ）前記プロセスにおいて製造された高い生物起源の二酸化炭素（ＣＯ２）が、ガス流れから除去され、前記ＣＯ２の一部が、前記ガス化システムへ再循環される、請求項１４に記載の高い生物起源濃度のフィッシャー−トロプシュ液体を製造するためのシステム。